(57)【要約】【課題】本発明はＳＩＰサーバとプレゼンス情報を管理するプレゼンスサーバとを自ＩＰ網に備え他ＩＰ網とゲートウェイサーバを介して接続される他ＩＰ網ユーザ端末のプレゼンス管理方式に関し，自ＩＰ網のプレゼンスサーバにおいて，予め許可された他ＩＰ網に所属する端末のセッション設定中のプレゼンス情報を保持し，自ＩＰ網内の利用者のために使用することを目的とする。【解決手段】ＳＩＰサーバは他ＩＰ網の利用者の端末からの制御要求を含むメッセージを受け取ると他ＩＰ網の利用者の端末状態を含む情報をプレゼンスサーバに通知する手段を備え，プレゼンスサーバは他ＩＰ網の利用者の端末のプレゼンス情報を擬似プレゼンスユーザデータ格納部に格納し，通知された端末が他ＩＰ網の利用者の端末であると端末の利用者のプレゼンス情報を擬似プレゼンスユーザデータ格納部に設定し，自ＩＰ網の利用者の端末により参照可能とするよう構成する。【選択図】図１
2008301304.tif 000002
【特許請求の範囲】
【請求項１】
ＩＰ対応の端末間のセッションの制御を行うＳＩＰサーバと該ＳＩＰサーバの利用者のプレゼンス情報を管理するプレゼンスサーバとを自ＩＰ網に備え，他ＩＰ網の端末とは各網のＳＩＰゲートウェイサーバを介してセッションが形成されるネットワークにおける他ＩＰ網ユーザ端末のプレゼンス管理方式であって，
前記ＳＩＰサーバは前記他ＩＰ網の利用者の端末からの制御要求を含むメッセージを受け取ると前記他ＩＰ網の利用者の端末状態を含む情報をプレゼンスサーバに通知する手段を備え，
前記プレゼンスサーバは前記他ＩＰ網の利用者の端末のプレゼンス情報を格納する擬似プレゼンスユーザデータ格納部を備え，
前記端末情報を含む情報が通知されると当該通知に含まれた端末が他ＩＰ網の利用者の端末であることを判別すると，当該端末の利用者のプレゼンス情報を前記擬似プレゼンスユーザデータ格納部に設定し，
前記擬似プレゼンスユーザデータ格納部に設定された利用者のプレゼンス情報は，自ＩＰ網の利用者の端末に対して通知されることを特徴とする他ＩＰ網ユーザ端末のプレゼンス管理方式。
【請求項２】
請求項１において，
前記プレゼンスサーバは，前記他ＩＰ網の利用者が自端末のプレゼンス情報を自ＩＰ網の他の利用者により参照することを許可するか否かの情報が予め登録されたプレゼンス参照許可データ格納部を備え，前記ＳＩＰサーバから前記通知を受け取ると，前記プレゼンス参照許可データ格納部を参照して，許可することが登録されていると，前記擬似プレゼンスユーザデータ格納部へプレゼンス情報を設定することを特徴とする他ＩＰ網ユーザ端末のプレゼンス管理方式。
【請求項３】
請求項１において，
前記擬似プレゼンスユーザデータ格納部は，他ＩＰ網の各利用者に割当てることが可能な複数のデータ領域の使用状態を各領域に対応したフラグで表すデータ登録空塞表を備え，
前記プレゼンスサーバは前記データ登録空塞表を参照して領域を管理することを特徴とする他ＩＰ網ユーザ端末のプレゼンス管理方式。
【請求項４】
請求項１において，
前記疑似プレゼンスユーザデータ格納部に格納される他ＩＰ網の各利用者に割当てられる領域に設定されるプレゼンス情報は，状態登録時の日付・時刻とプレゼンス状態とで構成され，プレゼンス状態は，話中か，未ログインの２つの状態の何れかであることを特徴とする他ＩＰ網ユーザ端末のプレゼンス管理方式。
【請求項５】
請求項１において，
前記プレゼンスサーバは，予め設定された周期で起動して，利用者用のデータ領域が塞がりに設定され，そのデータ領域のプレゼンス情報が「未ログイン」の状態であると現在の時間と前記登録された時間情報が予め設定された時間を経過しているか判別し，設定された時間を越えていることを検出すると前記データ登録空塞表の対応するフラグをオフに設定することを特徴とする他ＩＰ網ユーザ端末のプレゼンス管理方式。
【発明の詳細な説明】
【技術分野】
【０００１】
本発明は，ＳＩＰのプロトコルを用いたＩＰ電話技術においてプレゼンス情報（状態情報）の参照を可能となるプレゼンス・サービス（状態参照サービス）を，自端末が収容されたＩＰ網とは異なる他ＩＰ網に収容（所属）する端末のプレゼンス情報も自ＩＰ網において受けとって管理することを可能とする他ＩＰ網ユーザ端末のプレゼンス管理方式に関する。
【背景技術】
【０００２】
インターネット上でのマルチメディアの通信を実現する基盤となるプロトコルとしてＩＥＴＦ（Internet Engineering Task Force)においてＳＩＰ（Session Initiation Protocol)という通信プロトコルが標準化されている（ＲＦＣ３２６１等）。ＳＩＰではプレゼンス情報（端末の状態）をパケットによりプレゼンスサーバで収集し，呼制御を行うＳＩＰサーバ（またはセッション制御サーバ）による接続制御においてプレゼンス情報を参照し，制御に利用する。
【０００３】
このプレゼンス情報は，ＩＥＴＦにおいて採用されているＩＭ(Instant Message) の技術と同様にメッセージを送信しようとする相手がオンラインになった時送信相手先にメッセージが通知される仕組みである。この技術によりユーザ宅内のＰＣ（パーソナルコンピュータ）等から自プレゼンス（状態）を登録・変更することが可能であり，同じネットワーク・サービスを受ける同じ通信事業者のＩＰ網に加入している利用者（同一ＩＰ網の端末）同士の間では相手のプレゼンス（状態：オフライン，ログイン中，取り込み中，・・・等）を確認することによりＶＯＩＰ（Voice Over IP)の通信開始可能か，またはチャット開始可能か，等を判断することができる。なお，ＳＩＰによるインスタントメッセージングとプレゼンスについてＳＩＰを拡張したＳＩＭＰＬＥ（SIP for Instant Messaging and Presence Leveraging Extensions) と呼ばれるプロトコルも使用されている。
【０００４】
図５は従来のプレゼンス機能を持つ端末を含むシステムの構成を示す図である。図中，５０はプレゼンス情報の通知機能（プレゼンス機能という）を持つ端末であり，図５の例はパソコン（パーソナルコンピュータ）の場合である。５１は端末５０とネットワーク（インターネット）で接続されてＳＩＰプロトコルによる呼制御を行うＳＩＰサーバ，５１０は自局収容加入者（当該ＳＩＰサーバが管理する加入者）の各端末（プレゼンス機能の有無に関係なく）を識別する情報やログイン（使用中），ログアウト（空き）という，呼制御に必要な情報を保持する自局収容加入者データ格納部，５２は加入者のプレゼンス情報を管理してユーザに提供するサービスを行うプレゼンスサーバ，５２０はプレゼンス機能を備えた各端末のユーザについてのプレゼンス情報（ログイン，通話中，ログアウト，取り込み中，離席状態，等の各種の状態を含む）を格納するプレゼンスユーザデータ格納部である。
【０００５】
図５のシステムでは，端末５０からの「ＲＥＧＩＳＴＥＲ」（ユーザのＵＲＬ登録），「ＩＮＶＩＴＥ」（セッション参加要求），「ＢＹＥ」（セッション終了），「ＮＯＴＩＦＹ」（要請されたイベントの通知），等のメッセージが発生すると，始めにＳＩＰサーバ５１へ送られ，その応答結果をもとにプレゼンスサーバ５２へシーケンシャルに送られる。ＳＩＰサーバ５１では信号受付部５１ａで受付けて，信号分析部５１ｂで信号が分析され，分析により得られた端末５０の状態の情報が信号処理部５１ｃにより自局収容加入者データ格納部５１０に書き込まれる。プレゼンスサーバ５２でもＳＩＰサーバ５１と同様の構成である信号受付部５２ａ，信号分析部５２ｂ，信号処理部５２ｃで受け取ったメッセージについて処理が行われて状態情報がプレゼンス状態変更部５２ｄに供給されると，プレゼンスユーザデータ格納部５２０の当該端末５０のユーザデータに対応するデータを状態情報に応じて書き込む。
【０００６】
なお，プレゼンスユーザデータ格納部５２０には，ユーザ名（ｎ）毎に情報を格納する領域が設けられ，日付，時間（ログイン，接続，切断）５２０ａ，プレゼンス状態の情報（通話中，ログアウト，取りこみ中，離席中，・・・等）５２０ｂ，更に「気に入りリスト」５２０ｃが含まれ，気に入りリスト５２０ｃには当該ユーザ名の状態情報が変更された時に，変更された状態情報を通知しても良い相手として予め登録された他のユーザ（端末）のリストである。プレゼンスサーバ５２がプレゼンス状態変更部５２ｄでデータを書き込んだ後，気に入りデータ処理部５２ｅが駆動されてプレゼンスユーザデータ格納部５２０の当該ユーザ（端末５０）のために登録された「気に入りリスト」を参照して，リストに登録された各相手先に対して変更されたばかりの状態情報を通知（ＮＯＴＩＦＹ：メッセージを送信）する処理を行う。
【０００７】
上記の図５のシステムにおいて複数のＳＩＰサーバ５１に対して共通のプレゼンスサーバ５２が設けられ，端末５０，５３を含む多数の端末が同一のサービスプロバイダ（または通信事業会社）により運営されているＩＰ網を構成するものであり，同一のＩＰ網に加入する端末に対してプレゼンス情報によりサービスが提供されている。
【０００８】
従来の技術の一つとして，自律的にプレゼンスを登録・更新しないユーザに対してプレゼンス情報の管理を行う技術が提案されているが（特許文献１参照），その技術は，同一のＩＰ網に加入しているユーザの端末に対するプレゼンス情報の管理に関するものである。
【０００９】
また，異なる通信網に跨がってプレゼンス情報を送受する方法が提案されている（特許文献２参照）。その特許文献２は，携帯電話を含むプレゼンス表示システムのプレゼンスサーバに各ユーザのプレゼンス情報を記憶し，移動体通信網側に設けたゲートウェイと企業内のＳＩＰ対応の電話網とを企業側のゲートウェイを介して接続され，企業内の電話網のプレゼンス情報は企業側のゲートウェイに格納されてプレゼンス情報の管理が行われ，移動体通信網のプレゼンスサーバのプレゼンス情報に変更があると，移動体通信網側のゲートウェイを介して，企業側のゲートウェイにプレゼンス情報の変更を通知し，逆に企業側の電話網のプレゼンス情報に変更があると，企業側のゲートウェイから移動体通信網側のゲートウェイを介してプレゼンスサーバにプレゼンスの変更を通知して，２つの網間でプレゼンス情報の同期を取るための通信が行われる。
【特許文献１】特開２００５−２０６５２号公報
【特許文献２】特開２００５−１９０２８７号公報
【発明の開示】
【発明が解決しようとする課題】
【００１０】
近年，ＩＰ電話が普及するようになりＩＰ電話により通話をする相手が自分が収容される（所属する）ＩＰ網に収容されているとは限らず，異なるＩＰ網に収容されている場合があり，そのように場合に通話相手の状態情報を参照または通知することができるプレゼンスサーバによるサービスを受けることが望まれている。
【００１１】
しかし，複数のＩＰ網（サービスプロバイダ）のネットワーク間でＩＰサービスの相互接続を実現する場合，他ＩＰ網のユーザ端末のプレゼンスは，自ネットワークの利用者ではないため，自ＩＰ網のＳＩＰサーバ側ではＶＯＩＰユーザ端末としても管理されず，また自ＩＰ網のプレゼンスサーバ側でもプレゼンス管理対象ユーザとしても管理されていなかった。すなわち，図５に示す従来の技術は，ＳＩＰサーバとプレゼンスサーバを備えた同一のサービスプロバイダ（同一ＩＰ網）のネットワーク内でのプレゼンスサービスを実現するものであり，上記特許文献１の技術も図５と同様に同じＩＰ網に加入したユーザ端末に関するものである。
【００１２】
また，上記特許文献２の技術は，移動体通信網と企業内の電話網のそれぞれの網内にプレゼンス管理の機構を備えることが前提であり，その網間におけるプレゼンスサーバの送受を行うものであり，２つの網において同じ端末についてのプレゼンス情報を同期をとって管理するものであり，各網のプレゼンスサーバ間での連携が必要となり，各網の設備変更，ＰＯＩ（Point of Interface: 網間の相互接続点）の規定等が必要となり，制御が複雑になり装置が高価になるという問題があった。
【００１３】
本発明は自ＩＰ網のプレゼンスサーバにおいて，予めプレゼンス参照を許可された他ＩＰ網に所属する端末のプレゼンス情報を保持し，他ＩＰ網でのプレゼンス管理システムとは関係なく自ＩＰ網内の利用者からの参照や，自ＩＰ網の利用者への通知を可能とする他ＩＰ網ユーザ端末のプレゼンス管理方式を提供することを目的とする。
【課題を解決するための手段】
【００１４】
図１は本発明の原理構成を示す図である。図中，１は他ＩＰ網に収容されたＶｏＩＰ（Voice Over IP)による音声通信を行うプレゼンス機能を持つ端末，２ａは自ＩＰ網のＳＩＰサーバ３と他ＩＰ網を接続するゲートウェイサーバ（ＳＩＰ−ＧＷで表示），２ｂは他ＩＰ網の端末をゲートウェイサーバ２ａに接続するゲートウェイサーバ（ＳＩＰ−ＧＷ表示），３はＳＩＰのプロトコルによるセッションの接続，切断の制御を行う自ＩＰ網のＳＩＰサーバ，３ａは自ＩＰ網の端末や，他ＩＰ網のゲートウェイを介してアクセスする端末１からの信号を受け付ける信号受付部，３ｂは信号分析部，３ｃは信号処理部，３ｄはプレゼンスサーバ通知部，４は自ＩＰ網のプレゼンスサーバ，４ａは信号分析受付部，４ｂは管理対象ユーザ管理部，４ｃは擬似プレゼンスユーザ管理部，４ｄは気に入りデータ処理部，４ｅは周期起動処理部，４０はプレゼンス情報の参照を許可するか否かの情報が登録されたプレゼンス参照許可データ格納部，４１は他ＩＰ網に収容（管理）された端末（図１の端末１を含む）のプレゼンス情報を格納する擬似プレゼンスユーザデータ格納部，４２は自ＩＰ網に収容された端末のプレゼンス情報を格納してプレゼンスサービスにより参照可能な既存プレゼンスユーザデータ格納部である。
【００１５】
５はプレゼンスサーバ４のプレゼンス参照許可データ格納部４０への登録や，保守操作が可能な保守端末，６ａは自ＩＰ網であるＳＩＰサーバ３に管理されるプレゼンス機能を持つ端末，６ｂも自ＩＰ網に収容されたプレゼンス機能を持つ端末であり，気に入りデータのリストに格納された端末の例として示す。
【００１６】
なお，図１の端末１，ＳＩＰサーバ３，プレゼンスサーバ４（保守端末５を含む），端末６ａ，６ｂの各装置はインターネットのようなＴＣＰ／ＩＰのネットワークに接続されている。また，ＳＩＰサーバ３には自局収容加入者データ格納部（図５に５１０）も備えているが図示省略されている。
【００１７】
他のＩＰ網に収容された端末１のプレゼンス情報を参照することを許可するかの情報を，端末１にとっては他のＩＰ網を構成するプレゼンスサーバ４のプレゼンス参照許可データ格納部４０に保守端末５から登録されているものとする。プレゼンスサーバ４において仮のデータである擬似プレゼンスユーザデータを擬似プレゼンスユーザデータ格納部４１に設定して，そのデータの管理をプレゼンスサーバで実行するようにしたものである。
【００１８】
また，既存プレゼンスユーザデータ格納部４２には自ＩＰ網のプレゼンス機能を持つユーザ端末３０のプレゼンス機能を持つユーザ（端末）のためのプレゼンス情報が格納されており，その内容は上記図５に示すプレゼンスユーザデータ格納部５２０と同様のデータが格納される。擬似プレゼンスユーザデータ格納部３１は本発明により他ＩＰ網に属するユーザの端末のプレゼンス情報を格納するために設けたものである。
【００１９】
他ＩＰ網の端末１からのＳＩＰ（Session Initiation Protocol)またはＳＩＭＰＬＥに従った呼処理のメッセージ（ＩＮＶＩＴＥ，ＢＹＥ等）が他ＩＰ網のＳＩＰゲートウェイサーバ２ａ及び自ＩＰ網のＳＩＰゲートウェイサーバ２ｂを介してＳＩＰサーバ３へ入力すると，信号受付部３ａ，信号分析部３ｂ，及び信号処理部３ｃにおける各処理によりメッセージの内容に従ったセッションの制御が行われる。セッション設定を要求するメッセージ（ＩＮＶＩＴＥ）の場合，要求された通信相手が自ＩＰ網の端末６ａであれば，端末６ａとのセッションを設定するための処理がＳＩＰのメッセージが発信側の他ＩＰ網の端末１と相手側である自ＩＰ網の端末との間で送受信されてセッションが設定されて通話が可能になると，プレゼンスサーバ通知部３ｄからプレゼンスサーバ４に対して端末１のメッセージの内容や端末１の情報を通知する。プレゼンスサーバ４では通知を受け取ると信号分析受付部４ａで分析し，発信側の端末１が自ＩＰ網の端末か判別し，発信端末が他ＩＰ網であることが判ると，擬似プレゼンスユーザ管理部４ｃが駆動される。
【００２０】
この場合，他ＩＰ網の端末１についてプレゼンス参照許可データ格納部４０にプレゼンス情報の参照許可が登録されているか判別し，参照許可であれば，端末１のプレゼンス情報を擬似プレゼンスユーザデータ格納部４１の割当領域（新規であれば新たな領域，以前に割当てられているとその領域）にその時の時刻を検出して，時刻情報を含む状態情報を登録（または更新）する。なお，ＳＩＰサーバ３から通知された信号が自ＩＰ網の端末に関する情報であることが信号分析受付部４ａで判別されると，管理対象ユーザ管理部４ｂでプレゼンス参照許可データ格納部４０に参照許可の登録が設定されていることを検出すると既存プレゼンスユーザデータ格納部４２の端末に対して割当てられた領域に状態情報の設定，更新等の処理を行う。
【００２１】
擬似プレゼンスユーザデータ格納部４１及び既存プレゼンスユーザデータ格納部４２に格納されたデータは，当該ＳＩＰサーバ３のＩＰ網（自ＩＰ網）に収容されたユーザ端末に対するプレゼンスサービス（状態情報の変化の通知等）に利用される。
【００２２】
プレゼンスサーバ４の周期起動処理部４ｅは，予め設定された周期で起動されると，擬似プレゼンスユーザデータ格納部４１に格納された他ＩＰ網の端末の状態が格納された各領域をチェックし，状態が「切断状態」に設定されて，そこに設定された時間情報から現在時間までに予め決められた時間が経過したことを検出すると，そのデータ領域を解放（領域を空き状態に設定）する。
【００２３】
また，気に入りデータ処理部４ｄは管理対象ユーザ管理部４ｂによりプレゼンス情報の設定時（又は状態変化時）や，擬似プレゼンスユーザデータ格納部４１へのプレゼンス情報の変化時に気に入りデータ（既存プレゼンスユーザデータ格納部４２にだけ格納されている）を参照して，当該ユーザ（プレゼンス情報が変化したユーザ端末）に対応して設定された気に入りリストを参照して，リストに設定された端末６ｂに対して変化したプレゼンス情報通知（ＮＯＴＩＦＹ）のメッセージを送る。
【発明の効果】
【００２４】
本発明により他ＩＰ網に収容されているユーザ端末のプレゼンス情報を保存して，自ＩＰ網に収容されたユーザ端末によるその他ＩＰ網の端末への通信の際に状態を参照することが可能となる。これにより，ＩＰ網が異なる相手のユーザ端末の状態確認に状態を参照することで呼出す前に相手状態に応じて呼び出しを行うか否かを決定し，効率的に相手と通信することができる。
【発明を実施するための最良の形態】
【００２５】
図２は実施例のシステムのブロック構成を示す図である。図中，１，２ａ，２ｂ，３〜５，６ａ，６ｂは上記図１に示す同一符号の各部と同じであり，１はプレゼンス機能を持たないプレゼンス管理対象外利用者の端末，２ａは他ＩＰ網のＳＩＰゲートウェイサーバ（ＳＩＰ−ＧＷ），２ｂは自ＩＰ網のＳＩＰゲートウェイサーバ（ＳＩＰ−ＧＷ），３はＳＩＰサーバ，３０はＳＩＰサービス受付部，３１はＳＩＰ信号分析部，３１０〜３１２は端末から発生したＳＩＰ（またはＳＩＭＰＬＥ）による呼制御のメッセージを分析して対応した処理を行う処理部であり，３１０はＵＲＬを登録する処理を行うＲＥＧＩＳＴＥＲ処理部，３１１はセッション参加要求の処理を行うＩＮＶＩＴＥ処理部，３１２はセッションのキャンセル処理を行うＢＹＥ処理部，３２はプレゼンスサーバに対してメッセージを通知するプレゼンスサーバ通知処理部である。なお，図２のＳＩＰサーバ３には自局収容加入者データ格納部（図５の５１０）を備えているが図示省略されている。
【００２６】
４はプレゼンスサーバ，４０はプレゼンス参照許可データ格納部，４１は擬似プレゼンスユーザデータ格納部，４２は既存プレゼンスユーザデータ格納部，４３はプレゼンス信号分析部，４４はユーザ分析部，４５は呼状態受付部，４６はプレゼンス管理対象ユーザ管理部，４７は擬似プレゼンスユーザ管理部，４７０はデータエリア捕捉部，４７１は時刻設定部，４７２はプレゼンス設定部，４８は周期起動受付部，４８０は保留時間判定部，４８１は現在時刻収集設定部，４９は気に入り登録対象者への通知部である。５は保守端末，６ａ，６ｂは自ＩＰ網のプレゼンス機能を持つ端末（パソコン等）である。
【００２７】
擬似プレゼンスユーザデータ格納部４１において，４１０はデータ登録空塞表であり，各ユーザ用のデータ領域である４１１〜４１ｎの空，塞に対応したビットの列が設けられ，ユーザが割り当てられた塞の場合は「０」，割り当てられている（空：未使用）の場合は「１」が設定される。領域４１１〜４１ｎの中のユーザに割り当てられて使用されている各領域には複数項目のデータで構成され，４１１はユーザ名１に関するデータであり，４１１ａはユーザ名，４１１ｂは日付，時間（ログイン／接続／切断等の），４１１ｃはプレゼンス状態（ログイン／通話中／ログアウト等）を表し，他の各ユーザの領域も同様のデータで構成される。
【００２８】
ＳＩＰサーバ３，プレゼンスサーバ４，保守端末５，プレゼンス機能を持つ自ＩＰ網の端末６ａ，６ｂはインターネットのようなネットワークにより相互に接続され，他ＩＰ網の端末１はＳＩＰゲートウェイサーバ２ｂ，ＳＩＰゲートウェイサーバ２ａを介して自ＩＰ網のネットワークと接続されている。また，気に入り登録対象者への通知部４９は，状態が変更されたユーザに関して，既存プレゼンスユーザデータ格納部４２に格納された「気に入りリスト」を参照して，リストに登録された各相手先（端末６ｂ等）に対して変更されたばかりの状態情報を通知（ＮＯＴＩＦＹ：メッセージを送信）する処理が行われる。
【００２９】
なお，ＳＩＰサーバ３及びプレゼンスサーバ４は，それぞれに含まれる各ブロックの機能を実行するハードウェアとして構成することができるが，ＣＰＵ，メモリ，通信インタフェースを含む入出力部とで構成する処理装置として構成しプログラムにより各部の機能を実行するように構成することができる。
【００３０】
図３乃び図４は実施例の各サーバの処理フローと装置間の動作シーケンス（その１）〜（その２）であり，図２に示す構成において実行される。以下に図２に示す構成を参照しながら，図３，図４の説明をする。
【００３１】
他ＩＰ網の端末１から異なるＩＰ網（自ＩＰ網という）であるＳＩＰサーバ３に収容された端末６ａを接続相手として発呼した場合の動作が示され，最初に他ＩＰ網の端末１からＳＩＰゲートウェイサーバ２ａ，２ｂを通って自ＩＰ網のＳＩＰサーバ３に対し「ＩＮＶＩＴＥ」（セッション参加要求）のメッセージが送られてくると，ＳＩＰサーバ３は端末６ａに対して同じメッセージを送信する（図３のａ）。これには，ユーザ名のセッションの相手を表すＳＩＰ−ＵＲＬが含まれている。端末６ａからＲＩＮＧＩＮＧ（呼び出し中）のメッセージがＳＩＰゲートウェイ２ｂ，２ａを介して発信側の端末１に返され（同ｂ），更に呼び出しに対して端末６ａのユーザが応答すると「200 OK」のメッセージが同じ経路を通って端末１に送られる（同ｃ）。また，ＳＩＰサーバ３は端末６ａからの応答（200 OK）を受け取るとＳＩＰサーバ３のプレゼンスサーバ通知処理部３２からプレゼンスサーバ４に対して「ＩＮＶＩＴＥ」のメッセージを「ＳＩＰヘッダオプション（サービス種別：コンテンツ配信サービス，ユーザ名，利用状況：サービス開始）」を付加して送信する（同ｄ）。プレゼンスサーバ４でこれを受け取ると応答（200 OK) をＳＩＰサーバ３に送信する（図３のｅ）。
【００３２】
プレゼンスサーバ４では発信側の端末１が他ＩＰ網ユーザであるかの判定をし（図３のＳ４００），他ＩＰ網であることを認識するとプレゼンス状態を通話中（話中）と判定する（同Ｓ４０１）。次にプレゼンス参照許可データ格納部４０にユーザ名（端末１のユーザ名）があるか確認し（図３のＳ４０２），ユーザ名がないと処理を終了するが，ユーザ名がある場合（他のユーザから参照することを許可している場合）は，以下の処理が実行される。すなわち，上記ステップＳ４００の判定で他ＩＰ網であると判定された場合は，擬似プレゼンスユーザデータ格納部４１に当該ユーザ名の該当データがあるかの確認をし（同Ｓ４０３），擬似プレゼンスユーザデータ格納部４１に存在しない（ＮＯ）と判定された場合は，擬似プレゼンスユーザデータエリアを確保し，(1) データ登録空塞表のフラグをオンに設定し，(2) ユーザ名の設定をする（図３のＳ４０４）。次に現在時刻収集後，擬似プレゼンスユーザデータへ時刻の設定をし（同Ｓ４０５），プレゼンスデータ「通話中」を擬似プレゼンスユーザデータに格納する（同Ｓ４０６）。
【００３３】
上記ステップＳ４０３において，擬似プレゼンスユーザデータ格納部４１に存在する（ＹＥＳ）と判定された場合は，現在時刻収集後，それを擬似プレゼンスユーザデータへ設定し（図３のＳ４０７），プレゼンスデータ（話中又は状態通知拒否）を擬似プレゼンスユーザデータへ設定する（同Ｓ４０８）。この後，メディアストリームの通信（マルチメディアの通信）が実行される（図３のｆ）。
【００３４】
その後，自ＩＰ網の端末６ａからメッセージ「ＢＹＥ」（セッションのキャンセル）をＳＩＰサーバ３に送信すると，ＳＩＰゲートウェイサーバ２ｂ，２ａを介して他ＩＰ網の端末１に「ＢＹＥ」が送信される（図４のｇ）。端末１からＳＩＰサーバ３に要求が成功したことを表す応答（200 OK) を送信すると，ＳＩＰサーバ３からＳＩＰゲートウェイサーバ２ａ，２ｂを通って端末６ａに応答（200 OK) が送信される（同ｈ）。
【００３５】
次いで，ＳＩＰサーバ３からプレゼンスサーバ４に対して「ＢＹＥ」のメッセージを送信する（図４のｉ）。これには，ＳＩＰヘッダオプションとして，サービス種別：コンテンツ配信サービス，ユーザ名，利用状況：サービス停止が付加されている。これを受け取ったプレゼンスサーバ４はＳＩＰサーバ３に対し応答(200 OK)を返し（図４のｊ），終話の状態となる（同Ｓ４０９）。次にプレゼンス参照許可データ格納部４０に当該ユーザ名があるか確認し（図４のＳ４１０），プレゼンス参照許可データ格納部４０にあることが確認されると，当該ユーザのデータが擬似プレゼンスユーザデータ格納部４１に存在するか確認する（同Ｓ４１１）。擬似プレゼンスユーザデータ格納部４１に存在することが確認されると，現在時刻収集後，擬似プレゼンスユーザデータ格納部４１へ時刻を設定し（図４のＳ４１２），プレゼンスデータ（未ログインまたは状態通知拒否）を擬似プレゼンスユーザデータ格納部４１の該当する領域に設定する（同Ｓ４１３）。
【００３６】
プレゼンスサーバ４では，一定周期毎（例えば，３０分毎，１時間毎，２４時間毎，一週間に１回等）に起動する処理があり，起動するとデータ登録空塞表のフラグがオン，且つプレゼンス状態が未ログイン（切断）のものを検索するか，切断時刻（図４のＳ４１３で設定した時刻）から現在時刻（周期起動の時刻）までに規定値以上経過したか判別する（同Ｓ４１４）。規定値以上経過したデータであることを検出すると，擬似プレゼンスユーザデータ格納部４１のデータ登録空塞表４１０の該当データに対応するフラグ（ビット）をオフ（“１”）へ設定する（同Ｓ４１３）。これにより，当該ユーザが使用していたデータの領域が空き領域として設定され，この周期処理を終了する。
【００３７】
他ＩＰ網の端末のプレゼンス情報は，自ＩＰ網のユーザに参照可能とするかどうか（電話帳開示サービスのような）を，保守契約（プレゼンス参照許可）としてオペレータ保守端末（図２の５）から登録されると，ＳＩＰサーバ３のプレゼンス参照許可データ格納部４０に「プレゼンス参照許可フラグ」として登録される。プレゼンス参照許可データには，「許容・非許容フラグ」のみ設定する場合と，「許容・非許容フラグ」と「許可ユーザリスト」の場合とがある。
【００３８】
プレゼンスサーバ３が保持する自ＩＰ網のプレゼンス機能を持つ端末（ユーザ）及び他ＩＰ網の端末のプレゼンス情報は，自ＩＰ網のプレゼンス機能を持つ端末からそれらの端末（ユーザ）の状態確認に利用する。
【図面の簡単な説明】
【００３９】
【図１】本発明の原理構成を示す図である。
【図２】実施例のシステムのブロック構成を示す図である。
【図３】実施例の各サーバの処理フローと装置間の動作シーケンスを示す（その１）を示す図である。
【図４】実施例の各サーバの処理フローと装置間の動作シーケンスを示す（その２）を示す図である。
【図５】従来のプレゼンス機能を持つ端末を含むシステムの構成を示す図である。
【符号の説明】
【００４０】
１        他ＩＰ網のプレゼンス機能を持つ端末
２ａ      自ＩＰ網に接続するゲートウェイサーバ（ＳＩＰ−ＧＷ）
２ｂ      他ＩＰ網に接続するゲートウェイサーバ（ＳＩＰ−ＧＷ）
３        ＳＩＰサーバ
３ａ      信号受付部
３ｂ      信号分析部
３ｃ      信号処理部
３ｄ      プレゼンスサーバ通知部
４        自ＩＰ網のプレゼンスサーバ
４ａ      信号分析受付部
４ｂ      管理対象ユーザ管理部
４ｃ      擬似プレゼンスユーザ管理部
４ｄ      気に入りデータ処理部
４ｅ      周期起動処理部
４０      プレゼンス参照許可データ格納部
４１      擬似プレゼンスユーザデータ格納部
４２      既存プレゼンスユーザデータ格納部
５        保守端末
６ａ，６ｂ  自ＩＰ網に収容した端末
【図１】
2008301304.tif 000003
【図２】
2008301304.tif 000004
【図３】
2008301304.tif 000005
【図４】
2008301304.tif 000006
【図５】
2008301304.tif 000007